(57)【特許請求の範囲】
【請求項１】
下面より下方に突起している突起部を有する被梱包物であり、前記突起部を下方に向けた状態で壁面に取り付けられる被梱包物が梱包される梱包材であって、
前記突起部を収容する凹部を有し、前記被梱包物の前記下面に嵌め合わされる第１緩衝部材と、
前記第１緩衝部材が嵌め合わされた前記被梱包物を収納する箱部材と
を備え、
前記第１緩衝部材は、前記被梱包物が嵌め合わされた状態で前記箱部材から取り出された場合に、前記被梱包物の前記下面が下方に向いた状態で前記被梱包物を保持でき、
前記被梱包物は、壁面に取り付けられる側の面である背面から突出した突出部を有し、
前記第１緩衝部材は、前記被梱包物の前記背面を支持する支持部を有し、
前記支持部の前記背面からの高さは、前記突出部の前記背面からの高さ以下である梱包材。
【請求項２】
前記第１緩衝部材と分離可能に設けられ、前記突出部を収容する凹部を有する第２緩衝部材をさらに備え、
前記箱部材は、前記被梱包物および前記第１緩衝部材ととともに前記第２緩衝部材を収納し、
前記第２緩衝部材は、前記被梱包物が壁面に取り付けられる前に、前記第１緩衝部材から分離される請求項１に記載の梱包材。
【請求項３】
前記第１緩衝部材は、前記被梱包物の前記下面が下方に向いた状態で前記被梱包物を持ち上げるための持ち手部を有する請求項１または２に記載の梱包材。
【請求項４】
下面より下方に突起している突起部を有する被梱包物であり、前記突起部を下方に向けた状態で壁面に取り付けられる被梱包物が梱包される梱包材に梱包されている前記被梱包物を、前記梱包材から取り出して、壁面に取り付ける方法であって、
前記梱包材は、前記突起部を収容する凹部を有し、前記被梱包物の前記下面に嵌め合わされる第１緩衝部材と、前記第１緩衝部材が嵌め合わされた前記被梱包物を収納する箱部材とを有し、前記第１緩衝部材は、前記被梱包物が嵌め合わされた状態で前記箱部材から取り出された場合に、前記被梱包物の前記下面が下方に向いた状態で前記被梱包物を保持でき、前記箱部材は、前記被梱包物の壁面に取り付けられる側の面である背面または前記背面と反対側の面である正面を、前記箱部材の底面に向けて前記被梱包物を収納しており、
前記第１緩衝部材と嵌め合わされた状態で前記被梱包物を前記箱部材から取り出し、前記被梱包物の前記下面が下方に向いた状態で前記第１緩衝部材により支持させて前記被梱包物を起立させる工程と、
前記下面を下方に向けた状態で前記被梱包物を前記壁面に取り付ける工程と
を備え、
前記起立させる工程は、
前記被梱包物が収納された前記箱部材の前記被梱包物の前記下面側の側壁を開放する工程と、
前記被梱包物の前記下面の前記箱部材の前記底面側の縁部を支点として前記被梱包物を起立させる工程と
を有する被梱包物の取り付け方法。
【請求項５】
前記被梱包物は、壁面に取り付けられる側の面である背面から突出した突出部を有し、
前記第１緩衝部材は、前記被梱包物の前記背面を支持する支持部を有し、
前記支持部の前記背面からの高さは、前記突出部の前記背面からの高さ以下であり、
前記取り付ける工程は、
前記第１緩衝部材が嵌め合わされた状態の前記被梱包物を、前記下面を下方に向けた状態で壁面に取り付ける工程と、
前記壁面に取り付けられた前記被梱包物から前記第１緩衝部材を取り外す工程と
を有する請求項４に記載の被梱包物の取り付け方法。
【請求項６】
前記梱包材は、前記第１緩衝部材と分離可能に設けられ、前記突出部を収容する凹部を有する第２緩衝部材をさらに備え、
前記箱部材は、前記被梱包物および前記第１緩衝部材ととともに前記第２緩衝部材を収納し、
前記起立させる工程は、
前記第２緩衝部材を前記第１緩衝部材から分離する工程をさらに有する請求項５に記載の被梱包物の取り付け方法。
【請求項７】
前記第１緩衝部材は、前記被梱包物の前記下面が下方に向いた状態で前記被梱包物を持ち上げるための持ち手部を有し、
前記取り付ける工程は、
前記第１緩衝部材が嵌め合わされた状態の前記被梱包物を、前記下面を下方に向けた状態で壁面に取り付ける工程と、
前記壁面に取り付けられた前記被梱包物から前記第１緩衝部材を取り外す工程と
を有する請求項４に記載の被梱包物の取り付け方法。
【請求項８】
下面より下方に突起している突起部を有する被梱包物であり、前記突起部を下方に向けた状態で壁面に取り付けられる被梱包物が梱包される梱包材に梱包されている前記被梱包物を、前記梱包材から取り出して、壁面に取り付ける方法であって、
前記梱包材は、前記突起部を収容する凹部を有し、前記被梱包物の前記下面に嵌め合わされる第１緩衝部材と、前記第１緩衝部材が嵌め合わされた前記被梱包物を収納する箱部材とを有し、前記第１緩衝部材は、前記被梱包物が嵌め合わされた状態で前記箱部材から取り出された場合に、前記被梱包物の前記下面が下方に向いた状態で前記被梱包物を保持でき、
前記被梱包物は、壁面に取り付けられる側の面である背面から突出した突出部を有し、
前記第１緩衝部材は、前記被梱包物の前記背面を支持する支持部を有し、
前記支持部の前記背面からの高さは、前記突出部の前記背面からの高さ以下であり、
前記第１緩衝部材と嵌め合わされた状態で前記被梱包物を前記箱部材から取り出し、前記被梱包物の前記下面が下方に向いた状態で前記第１緩衝部材により支持させて前記被梱包物を起立させる工程と、
前記下面を下方に向けた状態で前記被梱包物を前記壁面に取り付ける工程と
を備え、
前記取り付ける工程は、
前記第１緩衝部材が嵌め合わされた状態の前記被梱包物を、前記下面を下方に向けた状態で壁面に取り付ける工程と、
前記壁面に取り付けられた前記被梱包物から前記第１緩衝部材を取り外す工程と
を有する被梱包物の取り付け方法。
【請求項９】
前記梱包材は、前記第１緩衝部材と分離可能に設けられ、前記突出部を収容する凹部を有する第２緩衝部材をさらに備え、
前記箱部材は、前記被梱包物および前記第１緩衝部材ととともに前記第２緩衝部材を収納し、
前記起立させる工程は、
前記第２緩衝部材を前記第１緩衝部材から分離する工程をさらに有する請求項８に記載の被梱包物の取り付け方法。
【請求項１０】
下面より下方に突起している突起部を有する被梱包物であり、前記突起部を下方に向けた状態で壁面に取り付けられる被梱包物が梱包される梱包材に梱包されている前記被梱包物を、前記梱包材から取り出して、壁面に取り付ける方法であって、
前記梱包材は、前記突起部を収容する凹部を有し、前記被梱包物の前記下面に嵌め合わされる第１緩衝部材と、前記第１緩衝部材が嵌め合わされた前記被梱包物を収納する箱部材とを有し、前記第１緩衝部材は、前記被梱包物が嵌め合わされた状態で前記箱部材から取り出された場合に、前記被梱包物の前記下面が下方に向いた状態で前記被梱包物を保持でき、前記第１緩衝部材は、前記被梱包物の前記下面が下方に向いた状態で前記被梱包物を持ち上げるための持ち手部を有し、
前記第１緩衝部材と嵌め合わされた状態で前記被梱包物を前記箱部材から取り出し、前記被梱包物の前記下面が下方に向いた状態で前記第１緩衝部材により支持させて前記被梱包物を起立させる工程と、
前記下面を下方に向けた状態で前記被梱包物を前記壁面に取り付ける工程と
を備え、
前記取り付ける工程は、
前記第１緩衝部材が嵌め合わされた状態の前記被梱包物を、前記下面を下方に向けた状態で壁面に取り付ける工程と、
前記壁面に取り付けられた前記被梱包物から前記第１緩衝部材を取り外す工程と
を有する被梱包物の取り付け方法。
【発明の詳細な説明】
【技術分野】
【０００１】
本発明は、被梱包物が梱包される梱包材および梱包材に梱包された被梱包物の取り付け方法に関する。
【背景技術】
【０００２】
特許文献１には、電子機器本体およびスタンドの少なくとも一方の緩衝部材となると共に、電子機器本体とスタンドとを組み立てる際に治具となる緩衝治具部材を備える梱包材が開示されている。
特許文献１  特開２００８−４４６６８号公報
【発明の概要】
【発明が解決しようとする課題】
【０００３】
梱包材に梱包される被梱包物の中には、下面より下方に突起する突起部を有し、当該下面を下方に向けて壁面に取り付けられる被梱包物がある。このような被梱包物を、下面を下方に向けて壁面に取り付ける場合、作業者は、一旦、被梱包物の下面を下方に向けて床に仮置きしてから、下面を下方に向けた状態で被梱包物を持ち上げて壁面に取り付けることがある。しかし、上記のような突起部を有する被梱包物は、突起部が妨げとなり、下面を下方に向けた状態で被梱包物を単独で床に仮置きできない場合がある。【０００４】
そこで、本発明は、下面より下方に突起する突起部を有する被梱包物を、当該下面を下方に向けて壁面に取り付ける作業の手間を削減可能な梱包材および被梱包物の取り付け方法を提供する。
【課題を解決するための手段】
【０００５】
本発明の第１の態様に係る梱包材は、下面より下方に突起している突起部を有する被梱包物であり、突起部を下方に向けた状態で壁面に取り付けられる被梱包物が梱包される梱包材であって、突起部を収容する凹部を有し、被梱包物の下面に嵌め合わされる第１緩衝部材と、第１緩衝部材が嵌め合わされた被梱包物を収納する箱部材とを備え、第１緩衝部材は、被梱包物が嵌め合わされた状態で箱部材から取り出された場合に、被梱包物の下面が下方に向いた状態で被梱包物を保持できる。【０００６】
被梱包物は、壁面に取り付けられる側の面である背面から突出した突出部を有し、第１緩衝部材は、被梱包物の背面を支持する支持部を有し、支持部の背面からの高さは、突出部の背面からの高さ以下でもよい。【０００７】
梱包材は、第１緩衝部材と分離可能に設けられ、突出部を収容する凹部を有する第２緩衝部材をさらに備え、箱部材は、被梱包物および第１緩衝部材ととともに第２緩衝部材を収納し、第２緩衝部材は、被梱包物が壁面に取り付けられる前に、第１緩衝部材から分離されてもよい。【０００８】
第１緩衝部材は、被梱包物の下面が下方に向いた状態で被梱包物を持ち上げるための持ち手部を有してもよい。【０００９】
本発明の第２の態様に係る被梱包物の取り付け方法は、上記被梱包物を梱包材から取り出して壁面に取り付ける方法であって、第１緩衝部材と嵌め合わされた状態で被梱包物を箱部材から取り出し、被梱包物の下面が下方に向いた状態で第１緩衝部材により支持させて被梱包物を起立させる工程と、下面を下方に向けた状態で被梱包物を壁面に取り付ける工程とを備える。【００１０】
箱部材は、被梱包物の壁面に取り付けられる側の面である背面または背面と反対側の面である正面を、箱部材の底面に向けて被梱包物を収納しており、起立させる工程は、被梱包物が収納された箱部材の被梱包物の下面側の側壁を開放する工程と、被梱包物の下面の箱部材の底面側の縁部を支点として被梱包物を起立させる工程とを有してもよい。【００１１】
被梱包物は、壁面に取り付けられる側の面である背面から突出した突出部を有し、第１緩衝部材は、被梱包物の背面を支持する支持部を有し、支持部の背面からの高さは、突出部の背面からの高さ以下であり、取り付ける工程は、第１緩衝部材が嵌め合わされた状態の被梱包物を、下面を下方に向けた状態で壁面に取り付ける工程と、壁面に取り付けられた被梱包物から第１緩衝部材を取り外す工程とを有してもよい。【００１２】
梱包材は、第１緩衝部材と分離可能に設けられ、突出部を収容する凹部を有する第２緩衝部材をさらに備え、箱部材は、被梱包物および第１緩衝部材ととともに第２緩衝部材を収納し、起立させる工程は、第２緩衝部材を第１緩衝部材から分離する工程をさらに有してもよい。【００１３】
第１緩衝部材は、被梱包物の下面が下方に向いた状態で被梱包物を持ち上げるための持ち手部を有し、取り付ける工程は、第１緩衝部材が嵌め合わされた状態の被梱包物を、下面を下方に向けた状態で壁面に取り付ける工程と、壁面に取り付けられた被梱包物から第１緩衝部材を取り外す工程とを有してもよい。【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】パワーコンディショナが梱包される梱包材の分解斜視図である。
【図２】パワーコンディショナに嵌め合わされた第１緩衝部材の断面図である。
【図３】パワーコンディショナを壁面に取り付ける手順を説明するための図である。
【図４】パワーコンディショナを壁面に取り付ける手順を説明するための図である。
【図５】パワーコンディショナを壁面に取り付ける手順を説明するための図である。
【図６】パワーコンディショナを壁面に取り付ける手順を説明するための図である。
【図７】パワーコンディショナを壁面に取り付ける手順を説明するための図である。
【発明を実施するための形態】
【００１６】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１７】
図１は、本実施形態に係る梱包材２００の分解斜視図である。梱包材２００には、パワーコンディショナ１００が梱包される。パワーコンディショナ１００は、下面１００ａより下方に突起している突起部１０２を有する。パワーコンディショナ１００は、突起部１０２を床方向（地面方向）、つまり下方に向けた状態で壁面に取り付けられる被梱包物の一例である。パワーコンディショナ１００は、太陽電池、燃料電池などの直流電源からの直流電圧を昇圧し、昇圧された直流電圧を交流電圧に変換して、負荷または系統電源に出力する電気機器である。パワーコンディショナ１００は、突起部１０２として、直流電力が入力される入力端子、交流電力を出力する出力端子、および操作ノブなどを有する。また、パワーコンディショナ１００は、パワーコンディショナ１００の内部の回路などを冷却するためのヒートシンク１０４を有する。ヒートシンク１０４は、壁面に取り付けられる側の面である背面１００ｂから突出した突出部の一例である。なお、梱包材２００に梱包される被梱包物は、パワーコンディショナ１００には限定されず、下面より下方に突起している突起部を有し、突起部を下方に向けた状態で壁面に取り付けられる給湯器、熱源機など他の被梱包物でもよい。また、突起部１０２は、下面１００ａから下方に向けて突起する以外にも、側面から下方に向かって下面より下方に突起していてもよい。
【００１８】
パワーコンディショナ１００は、突起部１０２を下方に向けた状態で壁面に取り付けられる。作業者は、壁面に取り付ける前に、突起部１０２が下方に向いた状態でパワーコンディショナ１００を起立させて床に仮置きしておきたい場合がある。しかし、突起部１０２が下面より下方に突起しているので、突起部１０２が下方に向いた状態でパワーコンディショナ１００を単独で床に起立させておくことができない。したがって、作業者は、梱包材２００から取り出したパワーコンディショナ１００を突起部１０２が下方に向いた状態で持ち上げたまま保持せざるを得ない。このような事態を避けるべく、パワーコンディショナ１００の下面に、突起部１０２の少なくとも一部を囲むように、下面からの高さが突起部１０２の下面からの高さより高い保護壁を設けることが考えられる。これにより、保護壁が自立用の基台となり、突起部１０２が下方に向いた状態でパワーコンディショナ１００を起立させて床に仮置きできる。しかし、この場合、作業者が、防護壁に隣接した入力端子または出力端子にケーブルを接続する場合に、防護壁が障害となり、ケーブルの接続作業がしにくくなる。また、防護壁が設けられることで、装置の重量が増加し、装置も大型化してしまう。さらに、装置全体のコストも増加してしまう。
【００１９】
そこで、本実施形態では、パワーコンディショナ１００の下面に入力端子などの突起部１０２を保護する保護壁を設けることなく、パワーコンディショナ１００を単独で床上に起立させておくことができる緩衝部材を提供する。
【００２０】
梱包材２００は、第１緩衝部材１０、第２緩衝部材１２、第３緩衝部材１４、第４緩衝部材１６、第５緩衝部材１８、箱部材２０、および蓋部材２２を備える。第１緩衝部材１０は、突起部１０２を収容する凹部１０ａを有し、パワーコンディショナ１００の下面１００ａに嵌め合わされる。なお、第１緩衝部材１０は、凹部１０ａとして突起部１０２を収容できる空間を有していればよく、凹部１０ａは、第１緩衝部材１０ａを貫通していても、貫通していなくてもよい。他の緩衝部材が有する凹部についても同様である。第１緩衝部材１０は、下面１００ａが下方に向いた状態でパワーコンディショナ１００を持ち上げるための持ち手部１０ｂをさらに有する。第１緩衝部材１０は、パワーコンディショナ１００が嵌め合わされた状態で箱部材２０から取り出された場合に、パワーコンディショナ１００の下面１００ａが下方に向いた状態でパワーコンディショナ１００を単独で保持できる。
【００２１】
第２緩衝部材１２は、第１緩衝部材１０と分離可能に設けられ、下面１００ａ側の一部のヒートシンク１０４を収容する凹部１２ａを有する。第２緩衝部材１２は、パワーコンディショナ１００が壁面に取り付けられる前に、第１緩衝部材１０から分離される。第３緩衝部材１４は、パワーコンディショナ１００の上面側の一部の背面１００ｂおよび一部のヒートシンク１０４を収容する凹部１４ａを有し、パワーコンディショナ１００の上面１００ｃ側の背面１００ｂに嵌め合わされる。第４緩衝部材１６は、パワーコンディショナ１００の下面１００ａ側の正面１００ｄの一部を収容する凹部１６ａを有し、パワーコンディショナ１００の下面１００ａ側の正面１００ｄに嵌め合わされる。第５緩衝部材１８は、パワーコンディショナ１００の上面１００ｃ側の正面１００ｄの一部を収容する凹部１８ａを有し、パワーコンディショナ１００の上面１００ｃ側の正面１００ｄに嵌め合わされる。
【００２２】
箱部材２０は、第１緩衝部材１０、第２緩衝部材１２、第３緩衝部材１４、第４緩衝部材１６および第５緩衝部材１８が嵌め合わされたパワーコンディショナ１００を収容する。箱部材２０は、パワーコンディショナ１００を壁面に取り付けるための取り付け板１１０、取扱説明書３０、付属部品１０６をさらに収容する。箱部材２０は、パワーコンディショナ１００の壁面に取り付けられる側の面である背面１００ｂを箱部材２０の底面２０ｂに向けてパワーコンディショナ１００を収納する。なお、箱部材２０は、背面と反対側の面である正面１００ｄを箱部材２０の底面２０ｂに向けてパワーコンディショナ１００を収納してもよい。箱部材２０は、４つの側壁にそれぞれ開口２０ａを有する。蓋部材２２は、箱部材２０に嵌め合わされた状態において開口２０ａに対向する４つの側壁のそれぞれの位置に開口２２ａを有する。蓋部材２２が箱部材２０に嵌め合わされた状態で、それぞれの開口２２ａおよび開口２０ａにパッキンが嵌め合わされることで、蓋部材２２と箱部材２０とが固定される。
【００２３】
図２は、パワーコンディショナ１００に嵌め合わされた第１緩衝部材１０の断面図を示す。第１緩衝部材１０は、パワーコンディショナ１００の背面１００ｂを支持する支持部１０ｃを有する。ここで、支持部１０ｃの背面からの高さａは、ヒートシンク１０４の背面１００ｂからの高さｂ以下である。つまり、パワーコンディショナ１００の背面１００ｂ側を支持する第１緩衝部材１０の側面の背面１００ｂからの高さは、ヒートシンク１０４の背面１００ｂからの高さ以下である。仮に支持部１０ｃの背面からの高さａが、ヒートシンク１０４の背面１００ｂからの高さｂより高い場合、第１緩衝部材１０が嵌め合わされたパワーコンディショナ１００を壁面に設置する場合に、第１緩衝部材１０の壁面側の側面が障害となり、第１緩衝部材１０が嵌め合わされた状態でパワーコンディショナ１００を壁面に設置できない。一方、支持部１０ｃの背面１００ｂからの高さａをヒートシンク１０４の背面１００ｂからの高さｂ以下にすることで、背面１００ｂ側を支持する第１緩衝部材１０の側面が障害とならない。よって、緩衝部材１０が嵌め合わされた状態でパワーコンディショナ１００を壁面に設置できる。さらに、第１緩衝部材１０は、下面１００ａが下方に向いた状態でパワーコンディショナ１００を持ち上げるための持ち手部１０ｂを有する。したがって、作業者は、第１緩衝部材１０が嵌め合わされたパワーコンディショナ１００を突起部１０２が下方に向いた状態で、持ち手部１０ｂを掴みながら持ち上げて、第１緩衝部材１０が嵌め合わされたパワーコンディショナ１００をそのまま壁面に取り付けることができる。
【００２４】
図３〜図７は、パワーコンディショナ１００を壁面に取り付ける手順を説明するための図である。まず、梱包材２００からパッキン２４を取り外す（図３）。ついで、箱部材２０に嵌め合わされた蓋部材２２を取り外す。さらに、箱部材２０のパワーコンディショナ１００の下面１００ａ側の側壁２０ｃを外側に倒すことで、側壁２０ｃを開放する（図４）。なお、側壁２０ｃを切り取ることで、側壁２０ｃを開放してもよい。その後、第１緩衝部材１０と嵌め合わされた状態でパワーコンディショナ１００を箱部材２０から取り出し、パワーコンディショナの下面１００ａが下方に向いた状態で第１緩衝部材１０により単独で支持させてパワーコンディショナ１００を起立させる。このとき、パワーコンディショナ１００の下面１００ａの箱部材２０の底面２０ｂ側の縁部を支点として、梃子の原理によりパワーコンディショナ１００を起立させてもよい（図５）。なお、側壁２０ｃの開放と、パワーコンディショナ１００の起立とは同時に行われてもよい。つまり、側壁２０ｃの両脇に予め切り込みを入れておき、パワーコンディショナ１００を梃子の原理で起立させる際に、第１障壁部材１０の底面を使用して側壁２０ｃを外側に倒してもよい。パワーコンディショナ１００を起立させた後、パワーコンディショナ１００の背面１００ｂに嵌め合わされた第２緩衝部材１２を第１緩衝部材１０から分離する。なお、第２緩衝部材１２は、パワーコンディショナ１００を箱部材２０から取り出す際に、第１緩衝部材１０から分離されてもよい。ついで、第１緩衝部材１０が嵌め合わされた状態のパワーコンディショナ１００を、持ち手部１０ｂを掴みながら支え、下面１００ａを下方に向けた状態で取り付け板１１０を介して壁面に取り付ける（図６）。パワーコンディショナ１００が壁面に取り付けられた後、パワーコンディショナ１００から第１緩衝部材１０を取り外す（図７）。
【００２５】
以上のように、第１緩衝部材１０は、パワーコンディショナ１００が嵌め合わされた状態で箱部材２０から取り出された場合に、パワーコンディショナ１００の下面１００ａが下方に向いた状態でパワーコンディショナ１００を単独で保持できる。したがって、梱包材２００からパワーコンディショナ１００を取り出し、壁面に取り付ける場合に、パワーコンディショナの下面１００ａが下方に向いた状態で、第１緩衝部材１０により支持させてパワーコンディショナ１００を起立させることができる。よって、作業者は、梱包材２００から取り出したパワーコンディショナ１００を突起部１０２が下方に向いた状態で持ち上げたまま長時間保持しなくて済む。
【００２６】
また、第１緩衝部材１０が持ち手部１０ｂを有するので、作業者は、持ち手部１０ｂを掴みながらパワーコンディショナ１００を支え、下面１００ａを下方に向けた状態でパワーコンディショナ１００を容易に壁面に取り付けることができる。よって、本実施形態によれば、下面より下方に突起する突起部を有する被梱包物を、当該下面を下方に向けて壁面に取り付ける作業の手間を削減できる。
【００２７】
さらに、本実施形態によれば、パワーコンディショナ１００は下面１００ａに第１緩衝部材１０が嵌め合わされた状態で、かつ下面１００ａが下方に向いた状態で持ち運ばれる。したがって、作業者が誤ってパワーコンディショナ１００を床の上に落下させてしまっても、第１緩衝部材１０がクッションとなり、パワーコンディショナ１００の突起部１０２などへの衝撃を和らげることができる。よって、第１緩衝部材１０が嵌め合わされていない場合に比べて、落下によるパワーコンディショナ１００への悪影響を低減できる。加えて、パワーコンディショナ１００が床または作業者の足などの上に落下した場合でも、第１緩衝部材１０がクッションとなり、床または作業者の足などの落下箇所への衝撃を和らげることができる。よって、第１緩衝部材１０が嵌め合わされていない場合に比べて、落下箇所への悪影響を低減できる。
【００２８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００２９】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【００３０】
１０  第１緩衝部材
１０ａ  凹部
１０ｂ  持ち手部
１０ｃ  支持部
１２  第２緩衝部材
１２ａ  凹部
２０  箱部材
２０ｂ  底面
２０ｃ  側壁
２２  蓋部材
１００  パワーコンディショナ
１００ａ  下面
１００ｂ  背面
１００ｃ  上面
１００ｄ  正面
１０２  突起部
１０４  ヒートシンク
２００  梱包材
【図１】
0005994636.tif 000002
【図２】
0005994636.tif 000003
【図３】
0005994636.tif 000004
【図４】
0005994636.tif 000005
【図５】
0005994636.tif 000006
【図６】
0005994636.tif 000007
【図７】
0005994636.tif 000008